(57)【要約】【課題】意匠性や装飾性を配慮して作製されたボトル等容器本体、及び容器の首部近傍の注出口部や注出口部先端に施蓋されたキャップ部等がボトルネッカーによって覆われてしまったり隠れてしまうことがなく容器の外観を損なわないボトルネッカーを提供する。【解決手段】情報提供表示用の前面パウチ１に境界線ａを介して連設した天面板２、前記境界線ａに平行な折目線ｂを介して連設した後面板３、前記境界線ａに平行な折目線ｃを介して連設したパウチ蓋片４、前記後面板３に前記折目線ｂに平行な境界線ｄを介して連設した貼着片５、前記天面板２と後面板３の両領域内に貫設した孔設部６、前記折目線ｂ方向に対向する周辺部を結んで該孔設部６内を横断する所定幅の帯部材３ａとを備え、前記孔設部６は、帯部材３ａにより前記後面板３領域内の上部孔設部６ａと該後面板３及び天面板２領域内の下部孔設部６ｂとに二分されている。【選択図】図１
2011158536.tif 000002
【特許請求の範囲】
【請求項１】
情報提供表示用の前面パウチ１と、該前面パウチ１に境界線ａを介して連設した天面板２と、該天面板２に前記境界線ａに平行な折目線ｂを介して連設した後面板３と、前記前面パウチ１に前記境界線ａに平行な折目線ｃを介して連設したパウチ蓋片４と、前記後面板３に前記折目線ｂに平行な境界線ｄを介して連設した貼着片５と、前記天面板２と後面板３の両領域内に貫設した孔設部６と、前記折目線ｂ方向に対向する周辺部を結んで該孔設部６内を横断する所定幅の帯部材３ａとを備え、前記孔設部６は、帯部材３ａにより前記後面板３領域内の上部孔設部６ａと、該後面板３及び天面板２領域内の下部孔設部６ｂとに二分されていることを特徴とするボトルネッカー。
【請求項２】
前記帯部材３ａにより上部孔設部６ａと下部孔設部６ｂとに二分される前記孔設部６の全体形状が、ボトル等容器の柱状突部の外側周面に沿う形状であり、略円形状、略四角形状、又はその組み合わせ形状であることを特徴とする請求項１記載のボトルネッカー。
【請求項３】
前記帯部材３ａが、直線状又は緩やかな曲線状であることを特徴とする請求項１又は請求項２記載のボトルネッカー。
【請求項４】
前記下部孔設部６ｂは、前記後面板３領域内の帯部材３ａから前記折目線ｂまでの間の第１の下部孔設部６ｃと、前記折目線ｂ以下の第２の下部孔設部６ｄとにより構成されていることを特徴とする請求項１乃至請求項３のいずれか１項記載のボトルネッカー。
【請求項５】
前記第２の下部孔設部６ｄの形状が、ボトル等容器の柱状突部の外側周面に沿う形状であり、前記孔設部６内の折目線ｂ相当部を弦とする略部分円形状又は略部分四角形状であることを特徴とする請求項４記載のボトルネッカー。
【請求項６】
前記第２の下部孔設部６ｄの形状が、ボトル等容器の柱状突部の外側周面に沿う形状であり、前記孔設部６内を横断する前記折目線ｂ相当部を弦とする半円形以下の小部分円形状又は半四角形以下の小部分四角形状であって、ボトル等容器のキャップの外側周面に沿う形状であることを特徴とする請求項４記載のボトルネッカー。
【請求項７】
ボトルネッカー本体はフィルム、シート等の材料により形成され、前記天面板２及び背面板３には補強用のフィルム、シート等の補強材料が積層され、前記前面パウチ１、パウチ蓋片４、貼着片５よりも剛度が高いことを特徴とする請求項１乃至請求項６のいずれか１項記載のボトルネッカー。
【発明の詳細な説明】
【技術分野】
【０００１】
本発明は、プラスチック製又はガラス製のボトル容器において、その容器胴部の上部に上方に向けて突出する注出口首部に、広告などの情報を表示するために嵌合させて使用するボトルネッカーに関する。
【背景技術】
【０００２】
一般的にボトルネッカーは、ボトル等の容器の首部に係止し、固定させる係止部と、その容器に包装された飲料、調味料等の商品情報や、商品広告情報等を表示した表示シートとを備えている。またその係止部に隣接して商品に関連した景品等を収納する収納部を備えたものがある。
【０００３】
従来のボトルネッカーとしては、例えば、特許文献１、特許文献２には、景品等を収納する収納部に隣接して、表示シートと、ボトル等容器の首部（注出口部）に係止、固定させる係止部とを備えたものがあり、また特許文献２には、収納部をミシン目を介して開封することが記載されている。
【０００４】
このような従来のボトルネッカーは、商品情報や商品広告情報等を表示した表示シートに一体的に隣接して景品等を収納する収納部を備える必要性から、その表示シート及び収納部をコンパクトなサイズにすることが難しい。また比較的に薄紙のシートにより作製されているために、シート材料の剛度が低いため強度に弱い面があった。
【０００５】
例えば、ボトル等容器本体の首部に係止した場合に、意匠性や装飾性を配慮して作製されたボトル等容器本体は、顧客によって、その外観が確認できても、せっかく意匠性や装飾性に配慮して作製された容器の首部近傍の注出口部や注出口部先端に施蓋されたキャップ部等が、ボトルネッカーによって覆われてしまったり、隠れてしまうため、容器の外観を損なう場合があった。
【先行技術文献】
【特許文献】
【０００６】
【特許文献１】実開昭６３−１０７９３３公報
【特許文献２】実開昭６１−４６５７６公報
【発明の概要】
【発明が解決しようとする課題】
【０００７】
本発明の課題は、上記不都合を解消することにあり、ボトル等容器本体の首部に係止した場合に、意匠性や装飾性を配慮して作製されたボトル等容器本体、及び容器の首部近傍の注出口部や注出口部先端に施蓋されたキャップ部等がボトルネッカーによって覆われてしまったり隠れてしまうことがなく、容器の外観を損なわないボトルネッカーを提供することにある。
【課題を解決するための手段】
【０００８】
本発明の請求項１に係る発明は、情報提供表示用の前面パウチ１と、該前面パウチ１に境界線ａを介して連設した天面板２と、該天面板２に前記境界線ａに平行な折目線ｂを介して連設した後面板３と、前記前面パウチ１に前記境界線ａに平行な折目線ｃを介して連設したパウチ蓋片４と、前記後面板３に前記折目線ｂに平行な境界線ｄを介して連設した貼着片５と、前記天面板２と後面板３の両領域内に貫設した孔設部６と、前記折目線ｂ方向に対向する周辺部を結んで該孔設部６内を横断する所定幅の帯部材３ａとを備え、前記
孔設部６は、帯部材３ａにより前記後面板３領域内の上部孔設部６ａと、該後面板３及び天面板２領域内の下部孔設部６ｂとに二分されていることを特徴とするボトルネッカーである。
【０００９】
本発明の請求項２に係る発明は、上記請求項１に係るボトルネッカーにおいて、前記帯部材３ａにより上部孔設部６ａと下部孔設部６ｂとに二分される前記孔設部６の全体形状が、ボトル等容器の柱状突部の外側周面に沿う形状であり、略円形状、略四角形状、又はその組み合わせ形状であることを特徴とするボトルネッカーである。
【００１０】
本発明の請求項３に係る発明は、上記請求項１又は請求項２に係るボトルネッカーにおいて、前記帯部材３ａが、直線状又は緩やかな曲線状であることを特徴とするボトルネッカーである。
【００１１】
本発明の請求項４に係る発明は、上記請求項１乃至請求項３のいずれか１項に係るボトルネッカーにおいて、前記下部孔設部６ｂは、前記後面板３領域内の帯部材３ａから前記折目線ｂまでの間の第１の下部孔設部６ｃと、前記折目線ｂ以下の第２の下部孔設部６ｄとにより構成されていることを特徴とするボトルネッカーである。
【００１２】
本発明の請求項５に係る発明は、上記請求項４に係るボトルネッカーにおいて、前記第２の下部孔設部６ｄの形状が、ボトル等容器の柱状突部の外側周面に沿う形状であり、前記孔設部６内の折目線ｂ相当部を弦とする略部分円形状又は部分四角形状であることを特徴とするボトルネッカーである。
【００１３】
本発明の請求項６に係る発明は、上記請求項４に係るボトルネッカーにおいて、前記第２の下部孔設部６ｄの形状が、ボトル等容器の柱状突部の外側周面に沿う形状であり、前記孔設部６内を横断する前記折目線ｂ相当部を弦とする半円形以下の小部分円形状又は半四角形以下の小部分四角形状であって、ボトル等容器のキャップの外側周面に沿う形状であることを特徴とするボトルネッカーである。
【００１４】
本発明の請求項７に係る発明は、上記請求項１乃至請求項６のいずれか１項に係るボトルネッカーにおいて、ボトルネッカー本体はフィルム、シート等の材料により形成され、前記天面板２及び背面板３には補強用のフィルム、シート等の補強材料が積層され、前記前面パウチ１、パウチ蓋片４、貼着片５よりも剛度が高いことを特徴とするボトルネッカーである。
【発明の効果】
【００１５】
本発明のボトルネッカーは、前面パウチと、天面板と、後面板と、前記前面パウチに連設したパウチ蓋片と、前記後面板に連設した貼着片と、前記天面板と後面板の両領域内に貫設した孔設部と、該孔設部を前記後面板領域内の上部孔設部と該後面板及び天面板領域内の下部孔設部とに二分する帯部材とを備えている。
【００１６】
また本発明のボトルネッカーの天面板と背面板に亘って、補強用のシート材が積層されているため天面板と背面板のシート剛度が強化されている。
【００１７】
そして、本発明のボトルネッカーは、カタログ等の情報シートや小冊子、景品、サンプル等の小物品を収納する前面パウチ（袋状の収納部）に隣接して、ボトル等の容器の首部、注出口部等の柱状突部に係止させるための係止部を備え、該係止部には、係止されるボトル等容器の柱状突部の外側周面に沿う形状であり、略円形状又は四角形状の孔設部の略中央部に直線状に横断する帯部材が設けられ、また係止部の前記孔設部には、孔設部内を横断するように設けられた係止用の折目線（ミシン目）が設けられている。
【００１８】
そのため、本発明のボトルネッカーは、ブランクシートの前面パウチ内に小物品を収納し、次にパウチ蓋片を折目線を介して前記前面パウチ上に折り返して施蓋した後に、折目ｂを介して前面パウチ板及び天面板と背面板及び貼着片とを二つ折りして重ね合わせ、該貼着片の境界線と対向する外側端部を、前面パウチの底部面側に重ね合わせて貼着することにより容易に組み立てることができる。
【００１９】
そして、本発明のボトルネッカーを、容器の首部や注出口部等の柱状突部に係止させる時には、組み立てた本発明のボトルネッカーの天面板と前面パウチ板と背面板とを、折目線ａ、ｂを介して同一方向に略コの字状になるように折り曲げ、天面板を水平姿勢にした後に、背面板の孔設部内に備える帯部材を湾曲（円弧）状に孔設部形成面上より外側に湾曲させて弾力的に突出させ、突出した該帯部材と、該帯部材の斜め上側にて対向する天面板の第２の下部孔設部とにより、ボトルネッカー係止用の略円形状又は略四角形状の空間部を形成することができ、その空間部に容器の首部や注出口部等の円形状又は四角形状の柱状突部を、湾曲する前記帯部材に付勢された湾曲からの弾力的な復元力を伴って、また天面板と背面板のシート剛度の強化による更なる弾力的な復元力を伴って装入することができ、本発明のボトルネッカーをボトル等の容器に容易、且つ確実に安定して係止させることができる。
【００２０】
また、本発明のボトルネッカーは、ボトル等の容器の首部や注出口部等の柱状突部に係止させた際には、前面パウチ板と天面板と背面板は略コの字状に折り曲げられた状態で、天面板面は水平姿勢になり、背面板の貼着片は、背面板との境界線と対向する外側端部が前面パウチの裏面の底部側面に貼着された状態を保持するため、湾曲状に突出させた前記帯部材は、天面板の第２の下部孔設部の方向に付勢された状態になり、首部や注出口部等の柱状突部の周側面に対してタイトに挟持した状態でボトルネッカーを係止することができ、離脱し難い状態に安定して係止固定することができる。
【図面の簡単な説明】
【００２１】
【図１】（ａ）は本発明のボトルネッカーを組立てるためのブランクシートの平面図、（ｂ）、（ｃ）はその側断面図。
【図２】（ａ）〜（ｄ）は本発明のボトルネッカーの構造及びその組立て順序を説明する側断面図。
【図３】（ａ）〜（ｃ）は本発明のボトルネッカーを容器に係止する係止方法を説明する側断面図。
【発明を実施するための形態】
【００２２】
本発明のボトルネッカーを、図面に基づいて以下に詳細に説明すれば、図１（ａ）は本発明のボトルネッカーＡのブランクシートを説明する平面図、図１（ｂ）、（ｃ）はその側断面図である。
【００２３】
本発明のボトルネッカーＡは、図１（ａ）のブランクシートに示すように、情報提供表示用の前面パウチ１に境界線ａを介して天面板２が連設され、該天面板２に前記境界線ａに平行な折目線ｂを介して後面板３が連設されている。
【００２４】
前記前面パウチ１には、前記境界線ａに平行な折目線ｃを介してパウチ蓋片４が連設されて、前記後面板３には、前記折目線ｂに平行な境界線ｄを介して貼着片５が連設されている。ここで、本発明における境界線ａ、ｄとは、必ずしも明瞭な折り癖を付ける必要の
ない湾曲状に折り曲げることができる直線部位である。一方、折目線ｂ、ｃとは、物理的に明瞭な折り癖を付けることができる直線部位である。
【００２５】
前記天面板２から後面板３までの両領域内には孔設部６が貫設されていて、その孔設部６には、前記折目線ｂ方向に対向する該孔設部６周辺部を結んで該孔設部６内を横断する所定幅の帯部材３ａを備え、前記孔設部６は、該帯部材３ａにより後面板３領域内の上部孔設部６ａと、該後面板３及び天面板２領域内の下部孔設部６ｂとに二分されている。孔設部６内を横断する前記帯部材３ａの平面形状は、本発明においては特に限定するものではないが、例えば直線状であってもよいし、１乃至複数の変曲点を持つ緩やかな曲線状であってもよい。
【００２６】
本発明のボトルネッカーＡは、図１（ｂ）に示すように、前面パウチ１、天面板２、背面板３の各々部位、又は前面パウチ１、天面板２、背面板３、貼着片５の各々部位は、合成樹脂フィルム、アルミ箔等の第１シート１１と第２シート１２とを重ね合わせて形成されている。あるいは、前面パウチ１、天面板２、背面板３、パウチ蓋片４、貼着片５の各々部位が、第１シート１１と第２シート１２とを重ね合わせ形成されていてもよい。なお、前記第１、第２シートのシート材質、厚さ、剛度等は、同じであっても異なっていてもいずれでもよい。
【００２７】
本発明のボトルネッカーＡの前面パウチ１、天面板２、背面板３等の表面あるいは表裏面には、ボトル等の容器に充填包装されている製品（内容物）に関する商品情報、広告情報、キャンペーン情報、景品情報等の各種情報や、装飾や意匠などを、印刷、表示するものである。
【００２８】
天面板２と背面板３に亘っては、必要に応じて、補強用のシート材１３（第１、第２シート１１、１２のシート材質、厚さ、剛度等と同じ又は相違）が第１、第２シート１１、１２の間にサンドイッチされて、天面板２と背面板３のシート剛度が強化されている。
【００２９】
このようにして重ね合わせた図１（ｂ）に示す第１、第２シート１１、１２は、図１（ｃ）にて、天面板２、背面板３、貼着片５の各部位が、天面板２及び背面板３部位の補強用シート１３を含めて、前面パウチ１とパウチ蓋片４の部位を残して、全面的に接着されて、前面パウチ１の部位は、その左右両側端部がヒートシール（天面板２、背面板３、パウチ蓋片４、貼着片５の各部位の左右両側端部が一挙にヒートシール断裁）されて外周シール部Ａ1 、Ａ2 、Ａ3 、Ａ4 として封鎖されており、前面パウチ１には、パウチ蓋片４側が開放した状態の収納部１ａが形成される。
【００３０】
図１（ｃ）に示すように、第１シート１１の第１、第２シート１１、１２重ね合わせ内面側における前記パウチ蓋片４面の折目線ｃ下側に沿って、貼着用接着剤層４ａ（感圧性接着剤、感熱性接着剤等）、及び第２シート１２の第１、第２シート１１、１２重ね合わせ外面側における前記貼着片５の上端部に沿って、貼着用接着剤層５ａ（感圧性接着剤、感熱性接着剤等）が形成されている。
【００３１】
なお、前記前面パウチ１の収納部１ａ内に小物品を装填収納する場合は、第１、第２シート１１、１２を接着、ヒートシールする前の段階で、予め小冊子、シート状体等の印刷物類、景品類等の小物品を、該前面パウチ１部位の第１、第２シート１１、１２の重ね合わせ内面に位置決め装填して収納して、その後にパウチ蓋片４にて収納部１ａを封鎖するようにしてもよい。
【００３２】
図２（ａ）〜（ｄ）は、図１に示す本発明のボトルネッカーＡのブランクシートの組み立て順序の一例を示す側断面図であり、図２（ａ）に示すブランクシートは、図２（ｂ）
にて、前面パウチ１の収納部１ａ内に小物品Ｂを収納し、図２（ｃ）にて、パウチ蓋片４を折目線ｃにて折り返し、接着剤層４ａにて前面パウチ１面に貼着して、収納部１ａを施蓋封鎖し、図２（ｄ）にて、背面板３及び貼着片５を、折目線ｂを介して前面パウチ１の裏面側に折り返し、前面パウチ１面のパウチ蓋片４面上に、貼着片５を接着剤層５ａを介して貼着固定して、本発明のボトルネッカーＡの組み立てが完了する。
【００３３】
図３（ａ）〜（ｃ）は、組み立てられた本発明のボトルネッカーＡを、天面板２を水平にして立ち起こし、ボトル等の容器Ｂの柱状突部である首部（注出口部）のキャップＣに係止する係止方法を説明する概要側面図である。
【００３４】
図３（ａ）に示す組み立てられた本発明のボトルネッカーＡは、図３（ｂ）に示すように、折目線ａ、ｂを介して天面板２を水平に、前面パウチ１及び背面板３に対しては略直角な状態にして立ち起こす。その際に境界線ｄ、及び貼着片５と接着剤層５ａにて貼着された貼着領域との境界部は、湾曲した状態で折り曲げられる。
【００３５】
このようにして立ち起こされた本発明のボトルネッカーＡは、その背面板３に貫設された孔設部６を横断する帯部材３ａを、図３（ｂ）に示すように、その孔設部６の形成された背面板３面内から外側方向に、そのボトルネッカーＡのシート材料の剛度に抗して手指にて引っ張ることにより、弾力的に復元性を持った状態で湾曲させて突出させることができる。
【００３６】
次に、このようにして立ち起こした本発明のボトルネッカーＡ（図３（ｂ）参照）を、図３（ｃ）に示すようなボトル等の容器Ｃの柱状突部Ｄに係止する。
【００３７】
本発明のボトルネッカーＡを係止する容器Ｃとして、内容物を注出する注出口部等の柱状突部Ｄ（筒状突部）を備え、例えば、柱状突部Ｄとして注出口部を備えた首部Ｃ1 と、容器胴部Ｃ2 と、底部Ｃ3 とからなり、柱状突部Ｄである首部Ｃ1 の注出口部にはキャップＤ1 が施蓋されている。
【００３８】
図３（ｂ）に示すように、まず、本発明のボトルネッカーＡの背面板３に貫設された孔設部６内を横断する帯部材３ａを、背面板３面内から外側方向に手指にて引っ張り、水平姿勢の天面板２上方から見て平面視的に湾曲するように突出させる。
【００３９】
次に、図３（ｃ）に示すように、さらに帯部材３ａを同じ外側方向に手指にて引っ張ることにより、背面板３を側面視的に湾曲させて、該背面板３に形成された上部孔設部６ａの内周縁と、水平姿勢の天面板２に形成された下部孔設部６ｂ（第１の下部孔設部６ｃと第２の孔設部６ｄ）の内周縁とを、湾曲する帯部材３ａの湾曲内面に対向させて、その対向間に平面視的に円形状又は四角形状の空間を形成する。
【００４０】
続いて、同図３（ｃ）に示すように、帯部材３ａの前記湾曲内面と、その湾曲内面に対向する上部孔設部６ａの部分内周縁及び下部孔設部６ｂの内周縁とにより形成される円形状又は四角形状の空間内に、容器Ｃの柱状突部ＤであるキャップＤ1 を、上部孔設部６ａ側から装入することにより、本発明のボトルネッカーＡを係止し固定するものである。
【００４１】
このようにして本発明のボトルネッカーＡを容器Ｃの柱状（筒状）突部Ｄに係止した際には、水平姿勢の天面板２に貫設した下部孔設部６のうち、第２の孔設部６ｄの小部分円状又は小部分四角形状の孔設内周縁を、容器Ｃの柱状突部Ｄ（キャップＤ1 ）の外周側面に沿う形状又は曲率形状とすることにより、天面板２を含めてボトルネッカーＡ本体は柱状突部Ｄに対して安定した状態に係止することができる。
【符号の説明】
【００４２】
Ａ…ボトルネッカー
Ａ1 、Ａ2 、Ａ3 、Ａ4 …外周ヒートシール部（シール線）
Ｂ…小物品
Ｃ…容器
Ｃ1 …首部（注出口部）
Ｄ…柱状（筒状）突部
Ｄ1 …キャップ
Ｄ2 …容器胴部
Ｄ3 …底部
１…前面パウチ
１ａ…収納部
２…天面板
３…背面板
３ａ…帯部材
４…パウチ蓋片
４…接着剤層
５…貼着片
５ａ…接着剤層
６…孔設部
６ａ…上部孔設部
６ｂ…下部孔設部
６ｃ…第１下部孔設部
６ｄ…第２下部孔設部
【図１】
2011158536.tif 000003
【図２】
2011158536.tif 000004
【図３】
2011158536.tif 000005